(57)【要約】      （修正有）【課題】スピン式ノズルへの連通路の開閉をコンパクトな構成で可能とする押下げヘッドを提案する。【解決手段】有頂のカバー筒４２の前壁を貫通して射出筒４６を設け、この射出筒４６の前部内に、射出筒内面との間に通液路６８を存して、前面を前板５４で閉塞した保持筒５２を内装し、上記前板５４に沿って、中心部にノズル孔６２を開口するとともにノズル孔と連続するスピン流路を裏面側に形成したスピンエレメント５８を付設し、射出筒４６の内部に、弁棒７０の基部に周設した摺動部７６を前方付勢させて嵌挿するとともに、保持筒５２内へ、摺動部よりも小径の先部を挿入し、この弁棒先部を弁座に当接することで開閉弁６３を形成し、射出筒４６の下面から脚筒４８を垂下するとともに、上記弁棒７０の先部から前記前板５４を貫通して突出する閉鎖ピン８０の先端で、ノズル孔６２を閉塞した。【選択図】図１
2010259984.tif 000002
【特許請求の範囲】
【請求項１】
有頂のカバー筒４２の前壁を貫通して、前方にノズル孔６２を開口する射出筒４６を設け、
この射出筒４６の前部内に、射出筒内面との間に通液路６８を存して、前面を前板５４で閉塞した保持筒５２を内装し、
上記前板５４に沿って、中心部にノズル孔６２を開口するとともにノズル孔と連続するスピン流路６４を裏面側に形成したスピンエレメント５８を付設し、
射出筒４６の内部に、弁棒７０の基部７２に周設したリング状の摺動部７６を前方付勢させて嵌挿するとともに、上記保持筒５２内へ、摺動部よりも小径の先部７４を挿入し、この弁棒先部７４を弁座６３ａに当接することで開閉弁６３を形成し、
射出筒４６の下面から、摺動部７６よりも前方の射出筒部分内面と連通する脚筒４８を垂下するとともに、
上記弁棒７０の先部から前記前板５４を貫通して突出する閉鎖ピン８０の先端で、ノズル孔６２を閉塞することで、上記通液路６８を閉塞し、かつ脚筒４８から供給された液体の圧力で弁棒が後退して、上記通液路６８を介してスピン流路６４に入った液体がノズル孔６２からスピン流として噴出されるように構成したことを特徴とする、押下げヘッド。
【請求項２】
閉鎖ピン８０を貫通させるために前板に穿設された貫通孔５６の孔縁は閉鎖ピンの周面に対して液密にシールされており、
かつ弁棒７０の後限位置において閉鎖ピン８０は上記貫通孔５６から後方へ離脱しないように構成されたことを特徴とする、請求項１記載の押下げヘッド。
【請求項３】
小径シリンダ２と作動部材２０と請求項１又は請求項２に記載の押下げヘッドとからなる吐出ポンプであって、
小径シリンダ２は、下部に吸込み弁６を有し、
作動部材２０は、上記小径シリンダ内に上方付勢させて小径筒状ピストン２４を嵌合するとともに、この小径筒状ピストンから起立するステム２２の先端に大径筒状ピストン２６を付設してなり、
押下げヘッド３０は、さらに脚筒４８に連結させた大径シリンダ３４を有し、
この大径シリンダ３４内に上記大径筒状ピストン２６を上記嵌挿して、押下げヘッド３０を押し下げたときに、押下げヘッド３０に対して作動部材２０が下降して、大径シリンダ３４内に設けた吐出弁３８が開くように、作動部材２０を上方付勢する第１のスプリング２８の弾性力を設計し、
さらに吐出弁３８から射出筒４６内へ高圧液体が流入することにより弁棒７０が後退するように、弁棒を前方付勢する第２のスプリング７８の弾性力を設計したことを特徴とする、押下げヘッド付きの吐出ポンプ。
【発明の詳細な説明】
【技術分野】
【０００１】
本願発明は、水平な射出筒内を弁棒が進退して射出筒先端のノズルから内容を吐出するタイプの吐出ポンプ及び押下げヘッドに関し、より詳しくはノズルがスピン式ノズルであるものに関する。
【背景技術】
【０００２】
ヘッド本体が有する射出筒内を弁棒が進退することで射出筒先端のノズル孔から液体を吐出するタイプの押下げヘッドにおいて、弁棒を進退させるための機構として、押下げヘッドの押下げ力を弁棒を後退させる力に変換する梃子機構を備えたものが知られている（特許文献１）。
【０００３】
また、押下げヘッドではないが、液体噴出器の射出筒の先端に、スピン機構を内蔵したキャップノズルを装着し、キャップノズルの回転によりノズル孔への連通路を開閉するものが知られている（特許文献２）。
【先行技術文献】
【特許文献】
【０００４】
【特許文献１】特開２００４−３５９２３８号
【特許文献２】実公昭６０−２７４８４号公報
【発明の概要】
【発明が解決しようとする課題】
【０００５】
特許文献１の押下げポンプでは、梃子部材を組み込むためにヘッド本体が大きく嵩張るようになるという問題点があった。特許文献２のキャップノズルは、使用後にキャップノズルを所定位置へ回転させないと閉状態とならず、その操作を失念したために液漏れを生ずる可能性があった。
【０００６】
本発明の第１の目的は、スピン式ノズルへの連通路の開閉をコンパクトな構成で可能とする押下げヘッドを提案することである。
【０００７】
本発明の第２の目的は、使用後にノズルを操作することなく、ノズル孔が閉となる構造の押下げヘッドを提案することである。
【課題を解決するための手段】
【０００８】
第１の手段は、押下げヘッド３０であって、
有頂のカバー筒４２の前壁を貫通して、前方にノズル孔を開口する射出筒４６を設け、
この射出筒４６の前部内に、射出筒内面との間に通液路６８を存して、前面を前板５４で閉塞した保持筒５２を内装し、
上記前板５４に沿って、中心部にノズル孔６２を開口するとともにノズル孔と連続するスピン流路６４を裏面側に形成したスピンエレメント５８を付設し、
基部外周にリング状の摺動部７６を周設した弁棒７０を、当該摺動部を射出筒４６の後部に当接し、かつ弁棒７０の先部を上記保持筒５２内へ前方付勢して挿入させて、前後方向への進退可能に装着し、
上記保持筒５２内へ弁棒７０の小径の先部７４を前方付勢させて挿入するとともに、弁棒７０の基部に周設したリング状の摺動部７６を射出筒４６の内部に前後方向への摺動可能に当接させ、
射出筒４６の下面から、摺動部７６よりも前方の射出筒部分内面と連通する脚筒４８を垂下するとともに、
上記弁棒７０の先部から前記前板５４を貫通して突出する閉鎖ピン８０の先端で、ノズル孔６２を閉塞することで、上記通液路６８を閉塞し、かつ脚筒４８から供給された液体の圧力で弁棒が後退して、上記通液路６８を介してスピン流路６４に入った液体がノズル孔６２からスピン流として噴出されるように構成している。
【０００９】
本手段では、弁棒の先部を保持する保持筒５２の前板を貫通して、弁棒から突出するピンでノズル孔を塞ぐように設けている。従って不使用状態では確実に液漏れを防止することができ、かつ締め忘れなども問題とならない。
【００１０】
第２の手段は、第１の手段を有し、かつ
閉鎖ピン８０を貫通させるために前板に穿設された貫通孔５６の孔縁は閉鎖ピンの周面に対して液密にシールされており、
かつ弁棒７０の後限位置において閉鎖ピン８０は上記貫通孔５６から後方へ離脱しないように構成されている。
【００１１】
本手段は、貫通孔と閉鎖ピンとのシール性に関して規定したものである。仮に閉鎖ピンが貫通孔から離脱してしまうと、内容液の粘性次第ではあるが、貫通孔を通ってノズル孔に流れ込み、スピンがかからなくなるおそれがあるからである。閉鎖ピンを貫通孔から離脱させないための構造としては、図２に示す例のように弁棒と閉鎖ピンの寸法を離脱不能な程度に長くすることが簡単である。しかしこれに限らず、抜止め用の係合手段などを設けてもよい。
【００１２】
第３の手段は、小径シリンダ２と作動部材２０と第１の手段又は第２の手段に記載の押下げヘッドとからなる吐出ポンプであって、
小径シリンダ２は、下部に吸込み弁６を有し、
作動部材２０は、上記小径シリンダ内に上方付勢させて小径筒状ピストン２４を嵌合するとともに、この小径筒状ピストンから起立するステム２２の先端に大径筒状ピストン２６を付設してなり、
押下げヘッド３０は、さらに脚筒４８に連結させた大径シリンダ３４を有し、
この大径シリンダ３４内に上記大径筒状ピストン２６を上記嵌挿して、押下げヘッド３０を押し下げたときに、押下げヘッド３０に対して作動部材２０が下降して、大径シリンダ３４内に設けた吐出弁３８が開くように、作動部材２０を上方付勢する第１のスプリング２８の弾性力を設計し、
さらに吐出弁３８から射出筒４６内へ高圧液体が流入することにより弁棒７０が後退するように、弁棒を前方付勢する第２のスプリング７８の弾性力を設計したことを特徴としている。
【００１３】
本手段では、吐出弁開放後の液体の圧力で開閉弁が開くように各スプリングの弾性力を設計したから、各弁の機能を確実とすることができる。
【発明の効果】
【００１４】
第１の手段に係る発明によれば、次の効果を奏する。
○摺動部７６で圧力を受けて弁棒が後退するから、前述の梃子部材のように嵩張る部品が必要なく、コンパクトな構成とすることができる。
○前方付勢された弁棒先端のピンが保持筒の前板を貫通してノズル孔を塞ぐようにしたから、自動的にノズル孔の閉鎖が可能となる。
【００１５】
第２の手段に係る発明によれば、弁棒７０の後限位置において閉鎖ピン８０は上記貫通孔５６から後方へ離脱しないように構成したから、スピン噴出機能を確実に発揮できる。
【００１６】
第３の手段に係る発明によれば、押下げヘッド３０に対して大径シリンダ３４が下降したときの噴出液体の圧力で弁棒７０が後退するように第１、第２のスプリングの弾性力を設計したから、吐出弁３８が開いた後の開閉弁６３を確実に開放させることができる。
【図面の簡単な説明】
【００１７】
【図１】本発明の実施形態に係る押下げヘッド付き吐出ポンプの縦断面図である。
【図２】図１に示す押下げヘッドの縦断面図である。
【図３】図１に示す押下げヘッドの作用説明図である。
【発明を実施するための形態】
【００１８】
図１は、本発明の実施形態に係る吐出ポンプを、図２及び図３は、当該吐出ポンプの押下げヘッドをそれぞれ示している。
【００１９】
上記吐出ポンプは、小径シリンダ２と、連結筒部材３２と、作動部材２０と、押下げヘッド３０とで形成している。
【００２０】
上記小径シリンダ２は、筒壁上端に、図示しない容器体口頸部への係止用の外向きフランジ４を付設している。小径シリンダ２の下部には吸込み弁６を付設している。吸込み弁上方のシリンダ部分にはスプリング載置用の適数のリブ板８を縦設している。小径シリンダ２の下部内からは垂直棒１０を起立している。
【００２１】
連結筒部材１２は、上記外向きフランジ４の上に載置した頂板１４の外周から容器体口頸部への装着筒１６を垂下し、かつ頂壁１４の内周からガイド筒１８を起立している。
【００２２】
作動部材２０は、下半部中空のステム２２の下端に小径筒状ピストン２４を付設するとともに、ステムの上部に大径筒状ピストン２６を、ステムの押下げ可能に取り付けている。そして小径筒状ピストン２４を小径シリンダ２内へ、また大径筒状ピストン２６を後述の大径シリンダ内へそれぞれ嵌合している。小径筒状ピストンとリブ板８との間には、第１のスプリング２８を介装している。なお、ステムの下半部内部と大径シリンダとは連通するように設ける。
【００２３】
押下げヘッド３０は、連結筒部材３２と、ヘッド本体４０と、弁棒７０とで構成されている。これら各部材は合成樹脂材で形成されている。
【００２４】
上記連結筒部材３２は、大径シリンダ３４を形成する筒壁の上端から内向きフランジ状の頂壁を介して固定筒３６を起立している。この大径シリンダ３４の外面は上記ガイド筒１８へ摺動可能に嵌合している。また上記固定筒１８の内面下縁で形成する弁座に、上記ステム２２の先端部を当接することで吐出弁３８を形成している。
【００２５】
ヘッド本体４０は、有頂筒形のカバー筒４２を有し、このカバー筒の頂壁４３と連続して、前端面をカバー筒の前壁に開口するとともに後端面を閉塞板部４４で閉塞する水平な射出筒４６を横設している。この射出筒の筒壁下部の後側に連通孔を穿設してこの連通孔から脚筒４８を垂下している。この脚筒は上記固定筒１８の外面に嵌着している。また閉塞板部４４前面と弁棒の後面との間には、弁棒後退のための空隙が存在する。この空間を逃がすための空気逃がし孔４４ａが閉塞板部４４に穿設されている。また閉塞板部４４から前方へ嵌着筒４５を突出している。
【００２６】
図示の射出筒４６はカバー筒の前壁を後方へ陥没させるとともに、陥没穴内に横筒４６ａの後部を嵌合させてなる。横筒４６ａの後部は嵌着筒４５に固定されている。しかしながら必ずしもこうした構造としなくてもよい。横筒４６ａの前部はノズル５０としてカバー筒の前方へ突出している。
【００２７】
上記射出筒４６の上部内には、保持筒５２を筒軸を前後方向に向けて横設している。保持筒の前面は前板５４で閉塞しており、保持筒の後部の少なくとも一箇所で射出筒４６に連結している。また前記前板５４の中央部には貫通孔５６を穿設する。
【００２８】
さらに上記前板５４に沿ってスピンエレメント５８を取り付ける。このスピンエレメントは、垂直な基板６０の外周から後方へ嵌合筒６６を突出してなる。基盤の中央部にはノズル孔６２が開口され、このノズル孔と連なってスピン流路６４を形成する。好適な図示例では、図３に示すようにノズル孔６２の後端側にノズル孔よりも大きく窪み状の凹部である弁座６３ａを形成し、この弁座と閉鎖ピン８０の前端面６３ｂとで開閉弁６３を形成している。嵌合筒６６は射出筒４６内面に嵌合され、また嵌合筒内面と保持筒外面との間には、通液路６８が形成されている。
【００２９】
弁棒７０は、基部７２を射出筒４５の後部内（図示例では嵌着筒の内部）へ、またやや小径の先部７４を保持筒５２内へそれぞれ嵌挿している。弁棒７０の長手方向中間部には前方から見てリング状の摺動部（図示例ではスカート部）７６が周設され、この摺動部が射出筒４６内面にスライド可能に当接されている。そして摺動筒７６の後面と固定筒内方の閉塞部分との間に第２のスプリング７８を介装している。先部の前面から貫通孔５６を介して閉鎖ピン８０を突出し、このピンの先端はノズル孔６２を塞いでいる。ここで貫通孔５６の後縁は閉鎖ピン８０を液密にシールすることが好ましい。
【００３０】
上記構成において、押下げヘッド３０を押し下げると、小径シリンダ２の内部と大径シリンダ３６内部とは同程度に加圧するが、大径筒状ピストン２６と小径筒状ピストン２４との径差により押下げヘッド３０に対して作動部材２０が下降し、吐出弁が開く。吐出弁から流出した高圧液体は射出筒４６内に入る。弁棒７０の先部７４は摺動部７６よりも小径であるため、作動部材２０の動作と同じ理由で、弁棒７０は後退する。これにより閉鎖ピン８０の前端面はノズル孔から外れるが、図３に示す如く閉鎖ピンが貫通孔５６から離脱するほどには後退しない。このため、射出筒４６内の液体は保持筒外側の通液路６８を通り、保持筒の外側からノズル孔に向かう。このときスピン流路６４内を通ることで強く回転し、ノズル孔６２からスピン流として噴出する。
【符号の説明】
【００３１】
２…小径シリンダ  ４…外向きフランジ  ６…吸込み弁  ８…リブ板  
１０…垂直棒  １２…装着筒部材  １４…頂板  １６…装着筒  １８…ガイド筒
２０…作動部材  ２２…ステム  ２４…小径筒状ピストン
２６…大径筒状ピストン  ２８…第１のスプリング  ３０…押下げヘッド
３２…連結筒部材  ３４…大径シリンダ  ３６…固定筒  ３８…吐出弁
４０…ヘッド本体  ４２…カバー筒  ４３…頂壁  ４４…閉塞板部
４４ａ…エア逃がし孔  ４５…嵌着筒  
４６…射出筒  ４６ａ…横筒  ４８…脚筒  ５０…ノズル
５２…保持筒  ５４…前板  ５６…貫通孔  ５８…スピンエレメント
６０…基板  ６２…ノズル孔
６３…開閉弁  ６３ａ…弁座  ６３ｂ…弁棒（閉鎖ピン先端）
６４…ノズル流路  ６６…嵌合筒  ６８…通液路
７０…弁棒  ７２…基部  ７４…先部  ７６…摺動部  ７８…第２のスプリング
８０…閉鎖ピン
【図１】
2010259984.tif 000003
【図２】
2010259984.tif 000004
【図３】
2010259984.tif 000005